【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の前記側縁部の近傍においてテープファスナが取り付けられた使い捨てのパンツ型着用物品において、
前記第１及び第２ウエスト域のうちの少なくとも前記第１ウエスト域は前記横方向において弾性を有しており、
前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、
前記掛止め域が、前記第２ウエスト域において前記吸液構造体の側縁と平面視において重なるように配置されることを特徴とする着用物品。
【手続補正２】
【補正対象書類名】特許請求の範囲
【補正対象項目名】請求項３
【補正方法】変更
【補正の内容】
【請求項３】
前記第２ウエスト域において、少なくとも前記テープファスナの前記掛止め域が掛け止めされる領域は前記横方向において弾性を有する請求項１又は２に記載の着用物品。
【手続補正３】
【補正対象書類名】特許請求の範囲
【補正対象項目名】請求項６
【補正方法】変更
【補正の内容】
【請求項６】
前記第２ウエスト域の弾性域は、前記横方向へ延びる複数条のストリング状又はストランド状の前記弾性部材から形成され、前記第２ウエスト域の側縁から前記吸液構造体の前記側縁まで延び、互いに前記横方向へ離間して位置する一対の弾性域を有し、前記一対の弾性域間には非弾性域が位置する請求項３又は４に記載の着用物品。
【手続補正４】
【補正対象書類名】特許請求の範囲
【補正対象項目名】請求項８
【補正方法】変更
【補正の内容】
【請求項８】
前記第１ウエスト域は、前記テープファスナの前記近位部が固定される上方弾性域と、前記上方弾性域よりも前記クロッチ域側に位置する下方弾性域とを有し、前記上方弾性域の伸長応力が前記下方弾性域の伸長応力よりも高い請求項１〜７のいずれかに記載の着用物品。
【手続補正５】
【補正対象書類名】特許請求の範囲
【補正対象項目名】請求項９
【補正方法】変更
【補正の内容】
【請求項９】
前記掛止め域はメカニカルファスナのフック要素を有するフックシートから形成されており、前記掛止め域の位置する高剛性部の前記テープファスナの両側縁部どうしを互いに近づける方向のＫＥＳ曲げ剛性値は、０．５６〜１．８ｇｆ・ｃｍ２／ｃｍである請求項１〜８のいずれかに記載の着用物品。
【手続補正６】
【補正対象書類名】明細書
【補正対象項目名】０００１
【補正方法】変更
【補正の内容】
【０００１】
本開示は、使い捨てのパンツ型着用物品に関し、より詳しくは、テープファスナを有する使い捨てのパンツ型おむつに関する。
【手続補正７】
【補正対象書類名】明細書
【補正対象項目名】０００６
【補正方法】変更
【補正の内容】
【０００６】
本発明の課題は、従来の技術の改良であって、テープファスナがウエスト回り方向において引っ張られた状態で安定的に掛止めされるとともに、吸液構造体の両側縁近傍における段差の形成を抑制することのできる使い捨てのパンツ型着用物品の提供に関する。
【手続補正８】
【補正対象書類名】明細書
【補正対象項目名】０００７
【補正方法】変更
【補正の内容】
【０００７】
本発明は、縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の前記側縁部の近傍においてテープファスナが取り付けられた使い捨てのパンツ型着用物品に関する。
【手続補正９】
【補正対象書類名】明細書
【補正対象項目名】０００８
【補正方法】変更
【補正の内容】
【０００８】
本発明の使い捨てのパンツ型着用物品は、前記第１及び第２ウエスト域のうちの少なくとも前記第１ウエスト域は前記横方向において弾性を有しており、前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、前記掛止め域が、前記第２ウエスト域において前記吸液構造体の側縁と重なるように配置される。
【手続補正１０】
【補正対象書類名】明細書
【補正対象項目名】０００９
【補正方法】変更
【補正の内容】
【０００９】
本発明に係る使い捨てのパンツ型着用物品の一つ以上の実施態様によれば、テープファスナの近位部が弾性を有する第１ウエスト域に配置されているので、その弾性を利用して第２ウエスト域に安定的に掛け止めることができる。また、遠位部に位置する掛止め部が、前ウエスト域の外面において吸液構造体の側縁と重なるように配置されるので、体液の漏れ等の原因ともなりうる吸液構造体の側縁近傍に生じる段差を抑えることができる。
【手続補正１１】
【補正対象書類名】明細書
【補正対象項目名】００１０
【補正方法】変更
【補正の内容】
【００１０】
図面は、本発明の特定の実施の形態を示し、発明の不可欠な構成ばかりでなく、選択的及び好ましい実施の形態を含む。
【図１】本発明の第１実施形態における使い捨てのパンツ型着用物品の一例として示す、背面側から見た使い捨ておむつの斜視図。
【図２】おむつのサイドシームを剥離して前後方向に伸展した状態をその内面から見た一部破断展開平面図。
【図３】おむつの分解斜視図。
【図４】図２のＩＶ−ＩＶ線に沿う模式的断面図。
【図５】図１のＶ−Ｖ線に沿う模式的断面図。
【図６】テープファスナの使用状態を示す、正面側から視たおむつの斜視図。
【図７】図６のＶＩＩ−ＶＩＩ線に沿う断面図。
【図８】テープファスナを使用しておむつを丸めた状態を示す図。
【図９】第２実施形態におけるおむつの図２と同様の展開平面図。
【図１０】第３実施形態におけるおむつの図２と同様の展開平面図。
【図１１】第３実施形態における、正面側から視たおむつの斜視図。
【図１２】第３実施形態におけるテープファスナの使用状態を示す、正面側から視たおむつの斜視図。
【図１３】第４実施形態におけるおむつの図２と同様の展開平面図。
【図１４】第４実施形態における、正面側から視たおむつの斜視図。
【図１５】第４実施形態におけるテープファスナの使用状態を示す、正面側から視たおむつの斜視図。
【図１６】第５実施形態における図５と同様の図。
【図１７】第５実施形態における図７と同様の図。
【図１８】第６実施形態における図５と同様の図。
【図１９】第７実施形態における図５と同様の図。
【手続補正１２】
【補正対象書類名】明細書
【補正対象項目名】００５４
【補正方法】変更
【補正の内容】
【００５４】
以上に記載した本発明に関する開示は、少なくとも下記事項に整理することができる。
縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の前記側縁部の近傍においてテープファスナが取り付けられた使い捨てのパンツ型着用物品において、
前記第１及び第２ウエスト域のうちの少なくとも前記第１ウエスト域は前記横方向において弾性を有しており、前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、前記掛止め域が、前記第２ウエスト域において前記吸液構造体の側縁と重なるように配置される。
【手続補正１３】
【補正対象書類名】明細書
【補正対象項目名】００５５
【補正方法】変更
【補正の内容】
【００５５】
上記段落００５４に開示した本発明は、少なくとも下記の実施の形態を含むことができる。該実施の形態は、分離して又は互いに組み合わせて採択することができる。
（１）前記テープファスナは、繊維不織布製である。
（２）前記第２ウエスト域において、少なくとも前記テープファスナの前記掛止め域が掛け止めされる領域は前記横方向において弾性を有する。
（３）前記第１ウエスト域の弾性域の伸長応力が、前記第２ウエスト域の弾性域の伸長応力よりも高い。
（４）前記第２ウエスト域の弾性域は、前記吸液構造体を横断して、前記第２ウエスト域の両側縁間において前記横方向へ延びる複数条のストリング状又はストランド状の弾性部材から形成される。
（５）前記第２ウエスト域の弾性域は、前記横方向へ延びる複数条のストリング状又はストランド状の前記弾性部材から形成され、前記第２ウエスト域の側縁から前記吸液構造体の前記側縁まで延び、互いに前記横方向へ離間して位置する一対の弾性域を有し、前記一対の弾性域間には非弾性域が位置する。
（６）前記第２ウエスト域の前記吸液構造体の存在域には、外面から視認可能な装飾要素を有するイラストシートが配置されており、前記第２ウエスト域に配置された前記弾性部材は、前記イラストシートの内面側に位置しており、前記吸液構造体の両側域と平面視において重なる部分において伸長応力を発現しており、前記吸液構造体の前記両側域間に位置する中央域においては実質的に伸長応力が発現されていない。
（７）前記第１ウエスト域は、前記テープファスナの前記近位部が固定される上方弾性域と、前記上方弾性域よりも前記クロッチ域側に位置する下方弾性域とを有し、前記上方弾性域の伸長応力が前記下方弾性域の伸長応力よりも高い。
（８）前記掛止め域はメカニカルファスナのフック要素を有するフックシートから形成されており、前記掛止め域の位置する高剛性部の前記テープファスナの両側縁部どうしを互いに近づける方向のＫＥＳ曲げ剛性値は、０．５６〜１．８ｇｆ・ｃｍ２／ｃｍである。
（９）前記吸液構造体の前記側縁近傍には起立性向を有するバリアカフが設けられており、前記テープファスナの前記掛け止め域が前記第２ウエスト域において前記バリアカフと平面視において互いに重なる位置に掛け止めされる。
（１０）前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止部間における前記遠位部の内面に位置する。
（１１）前記遠位部のうちの前記近位部と前記掛止め域との間には、前記近位部よりも剛性の高い高剛性領域が形成される。
（１２）前記テープファスナの前記遠位部は弾性を有する。